(57)【要約】  【課題】  包装箱の本体部と箱内部の仕切部材とが一体的に作られており折り畳み状態から完成状態にワンタッチで組み上げることができる包装箱を提供すること  【解決手段】  展開した状態において、正面板部と、前記正面板部の左右側方設けられた左右側面板部と、前記左側面板部または前記右側面板部のいずれか一方の側方に設けられた背面板部と、前記背面板部の上側方に設けられた蓋板部と、前記正面板部の下側方に設けられた前側底板部と、前記背面板部の下側方に設けられた後側底板部と、前記左側面板部の下側方に設けられた左側面底板部と、前記右側面板部の下側方に設けられた右側面底板部と、前記前側底板部または前記右側面底板部のいずれか一方に設けられ両底板部を連結する右側連結タブと、前記後側底板部または前記左側面底板部のいずれか一方に設けられ両底板部を連結する左側連結タブと、前記背面板部の左側方部分に設けられた右側面結合部とを備えたワンタッチで組み立て可能な包装箱とした。【選択図】図１
2011126555.tif 000002
【特許請求の範囲】
【請求項１】
展開した状態において、
包装箱の正面を形成する矩形状の正面板部と、
前記正面板部の左右側方に連続して設けられ、包装箱の左右側面を形成する一対の矩形状の左右側面板部と、
前記左側面板部または前記右側面板部のいずれか一方の側方に連続して設けられ、包装箱の背面を形成する矩形状の背面板部と、
前記背面板部の上側方に連続して設けられ、包装箱の蓋体を形成する蓋板部と、
前記正面板部の下側方に連続して設けられ、包装箱の前側底板を形成する前側底板部と、
前記背面板部の下側方に連続して設けられ、包装箱の後側底板を形成する後側底板部と、
前記左側面板部の上側方に連続して設けられ、包装箱の左側面蓋部を形成する左側面蓋板部と、
前記右側面板部の上側方に連続して設けられ、包装箱の右側面蓋部を形成する右側面蓋板部と、
前記左側面板部の下側方に連続して設けられ、包装箱の左側面底板を形成する左側面底板部と、
前記右側面板部の下側方に連続して設けられ、包装箱の右側面底板を形成する右側面底板部と、
前記前側底板部または前記右側面底板部のいずれか一方に設けられ、これら前側底板部および右側面底板部を連結する右側連結タブと、
前記後側底板部または前記左側面底板部のいずれか一方に設けられ、これら後側底板部および右側面底板部を連結する左側連結タブと、
前記背面板部の左側方部分に設けられ、前記右側面板部の裏面に固定される右側面結合部と、
を備え、
前記前側底板部は前記正面板部の裏側に重なるように折り曲げられる一方、前記右側面底板部は前記右側面板部の裏側に重なるように折り曲げられ、且つ前記右側面板部は前記折り曲げられた前側底板部に重なるように折り曲げられてこれら前側底板部と右側面底板部は前記右側連結タブを介して結合され、
前記後側底板部は前記背面板部の裏側に重なるように折り曲げられる一方、前記左側面底板部は前記左側面板部の裏側に重なるように折り曲げられ、且つ前記折り曲げられた後側底板部は、前記背面板部とともに前記折り曲げられた左側面底板部に重なるように折り曲げられてこれら後側底板部と左側面底板部は前記左側連結タブを介して結合され、さらに
前記背面板部の左側方部分に設けられた右側面結合部を右側面板部の裏面に結合して折りたたみ構造体となし、
この折りたたみ構造体を左右側方から横方向中心へ向かって押圧することにより箱が組み立てられることを特徴とする包装箱。
【請求項２】
請求項１記載の包装箱において、展開した状態において、
前記前側底板部の下側方に連続し且つ当該前側底板部に対して折り曲げ可能に設けられ、包装箱の前側中仕切を形成する前側中仕切板部と、
前記後側底板部の下側方に連続し且つ当該後側底板部に対して折り曲げ可能に設けられ、包装箱の後側中仕切を形成する後側中仕切板部と、
をさらに備え、
折りたたみ構造体を左右側方から横方向中心へ向かって押圧することにより、正面板部と背面板部との中間部に底板部から垂直に立ち上がった中仕切が位置し、内部が２室に区切られた箱が組み立てられることを特徴とする包装箱。
【請求項３】
請求項１又は２記載の包装箱において、展開した状態において、
前記正面板部の上側方に連続して設けられ、当該正面板部の裏側に重ねられて正面裏板を形成する矩形状の正面裏板部と、
前記正面裏板部の上側方に連続して設けられ、包装箱の前側仕切部を形成する前側仕切板部と、
前記背面板部の左側方に連続して設けられ、包装箱の後側仕切部を形成する後側仕切板部と、
をさらに備え、
前記前側仕切板部は、正面裏板部との境界線近辺において横方向に延びる下部水平切込部と、当該下部切込部とは横方向及び縦方向にずれた位置に形成され横方向に延びる上部水平切込部と、前記下部水平切込部から上部水平切込部まで両者を繋ぐように斜めに延びる傾斜切込部とからなり且つ横方向に所定の間隔をおいて形成された複数の第１の切込み線、および当該第１の切込み線の下部水平切込部の端末部と、上部水平切込部の端末部と、傾斜切込部の中間部に対応するそれぞれの部位に縦方向に伸びる第２の切込み線を有し、
前記後側仕切板部は、当該後側仕切板部の下縁近辺において横方向に延びる下部水平切込部と、当該下部切込部とは横方向及び縦方向にずれた位置に形成され横方向に延びる上部水平切込部と、前記下部水平切込部から上部水平切込部まで両者を繋ぐように斜めに延びる傾斜切込部とからなり且つ横方向に所定の間隔をおいて形成された複数の第３の切込み線、および当該第３の切込み線の下部水平切込部の端末部と、上部水平切込部の端末部と、傾斜切込部の中間部に対応するそれぞれの部位に縦方向に伸びる第４の切込み線を有し、また前記背面板部に隣接した部分に前記右側面板部の裏面に固定される右側面結合部を有し、
前記正面裏板部は前記正面板部の裏側に重なるように折り曲げられて当該正面板部の後面に結合され、さらに前記前側仕切板部は前記正面裏板部の後側に重なるように折り返され、また正面裏板部との境界線近辺で且つ前記第１及び第２の切込み線によって切り離されていない下部領域において前記正面裏板部の対接面に結合され、
前記後側仕切板部は前記背面板部の後側に重なるように折り曲げられ、また当該後側仕切板部の下縁近辺で且つ前記第３及び第４の切込み線によって切り離されていない下部領域において前記裏面板部の対接面に結合され、また、
前記前側仕切板部と前記後側仕切板部とは、前記前側中仕切板部と後側中仕切板部とを間に挟んだ状態で上部領域における対接面が結合され、
さらに
前記後側仕切板部に設けられた右側面結合部を右側面板部の裏面に結合して折りたたみ構造体となし、
この折りたたみ構造体を左右側方から横方向中心へ向かって押圧することにより、正面板部と背面板部との間に横方向に２列に延び、且つ各列に複数の物品収容部が仕切り区分けされた箱が組み立てられることを特徴とする包装箱。
【発明の詳細な説明】
【技術分野】
【０００１】
本発明は包装箱に関し、特に箱の筐体と箱内部の仕切部材とが一体的に作られており折り畳み状態から完成状態にワンタッチで組み上げることができる包装箱に関するものである。
【背景技術】
【０００２】
従来、ガラス容器に収納された薬品（アンプル剤など）や食品を収容する包装箱として、複数の収納物品を安全に防護するために個々の容器の間に仕切部材を設け、容器と容器が直接当接しないようにしたものがある。このような要望に応える技術としては、例えば特許文献１に示すようなものがある。
【０００３】
特許文献１に示された例では、包装箱の蓋体に被収納物と係合して該被収納物品を保持する係合部（切込み）を設け、1 枚の基材を裁断し、折り込んで、上記係合部を有する蓋体と容器本体とが一体的に組立てられるようにしている。その上で、上記係合部は、上記蓋体が折り込まれて前記容器本体の開口部を閉蓋するとともに、さらに内側に向けて少なくとも1 回折り込まれた上記蓋体の先端部に形成されており、上記係合部を有する蓋体を仕切部材として使用可能にしている。
【先行技術文献】
【特許文献】
【０００４】
【特許文献１】特開２００１−０３１０６４号公報
【発明の概要】
【発明が解決しようとする課題】
【０００５】
しかしながら、蓋体に係合部（切込み）を設け、上記係合部を有する蓋体を仕切部材として使用する方法では、上記蓋体の高さ位置、すなわち、包装箱の天頂に近い部位においてのみ仕切り効果があり、包装箱の中間高さや底部に近い部位においては仕切り効果が発揮されず、包装箱に収納物品を入れた状態で運搬する場合など、複数の収納物品の間で接触や衝突が起こるという不具合があった。
【０００６】
また、多くの包装箱においては、当該包装箱と別体となった仕切部材を用意し、この仕切部材を包装箱の中にセットしてから収納物品を収容するというやり方を採用しており、包装箱の組立てが煩雑になる上、部品点数が増大するという不具合もあった。
【０００７】
本発明は、上記した問題に鑑みなされたもので、その目的は、包装箱の本体部と箱内部の仕切部材とが一体的に作られており折り畳み状態から完成状態にワンタッチで組み上げることができる包装箱を提供することである。
【課題を解決するための手段】
【０００８】
本発明は、上記目的を達成するために、展開した状態において、包装箱の正面を形成する矩形状の正面板部と、前記正面板部の左右側方に連続して設けられ、包装箱の左右側面を形成する一対の矩形状の左右側面板部と、前記左側面板部または前記右側面板部のいずれか一方の側方に連続して設けられ、包装箱の背面を形成する矩形状の背面板部と、前記背面板部の上側方に連続して設けられ、包装箱の蓋体を形成する蓋板部と、前記正面板部の下側方に連続して設けられ、包装箱の前側底板を形成する前側底板部と、前記背面板部の下側方に連続して設けられ、包装箱の後側底板を形成する後側底板部と、前記左側面板部の上側方に連続して設けられ、包装箱の左側面蓋部を形成する左側面蓋板部と、前記右側面板部の上側方に連続して設けられ、包装箱の右側面蓋部を形成する右側面蓋板部と、前記左側面板部の下側方に連続して設けられ、包装箱の左側面底板を形成する左側面底板部と、前記右側面板部の下側方に連続して設けられ、包装箱の右側面底板を形成する右側面底板部と、前記前側底板部または前記右側面底板部のいずれか一方に設けられ、これら前側底板部および右側面底板部を連結する右側連結タブと、前記後側底板部または前記左側面底板部のいずれか一方に設けられ、これら後側底板部および右側面底板部を連結する左側連結タブと、前記背面板部の左側方部分に設けられ、前記右側面板部の裏面に固定される右側面結合部と、を備えた包装箱とした。
【０００９】
この包装箱において、前記前側底板部は前記正面板部の裏側に重なるように折り曲げられる一方、前記右側面底板部は前記右側面板部の裏側に重なるように折り曲げられ、且つ前記右側面板部は前記折り曲げられた前側底板部に重なるように折り曲げられてこれら前側底板部と右側面底板部は前記右側連結タブを介して結合され、前記後側底板部は前記背面板部の裏側に重なるように折り曲げられる一方、前記左側面底板部は前記左側面板部の裏側に重なるように折り曲げられ、且つ前記折り曲げられた後側底板部は、前記背面板部とともに前記折り曲げられた左側面底板部に重なるように折り曲げられてこれら後側底板部と左側面底板部は前記左側連結タブを介して結合され、さらに、前記背面板部の左側方部分に設けられた右側面結合部を右側面板部の裏面に結合して箱全体が折りたたみ構造体をなしている。
【００１０】
そして、この折りたたみ構造体を左右側方から横方向中心へ向かって押圧することにより包装箱が組み立てられる。
【００１１】
上記包装箱の変更例として、展開した状態において、前記前側底板部の下側方に連続し且つ当該前側底板部に対して折り曲げ可能に設けられ、包装箱の前側中仕切を形成する前側中仕切板部と、前記後側底板部の下側方に連続し且つ当該後側底板部に対して折り曲げ可能に設けられ、包装箱の後側中仕切を形成する後側中仕切板部と、をさらに備えた包装箱とした。
【００１２】
この包装箱において、折りたたみ構造体を左右側方から横方向中心へ向かって押圧することにより、正面板部と背面板部との中間部に底板部から垂直に立ち上がった中仕切が位置し、内部が２室に区切られた箱が組み立てられる。
【００１３】
上記包装箱のさらに別の変更例として、展開した状態において、前記正面板部の上側方に連続して設けられ、当該正面板部の裏側に重ねられて正面裏板を形成する矩形状の正面裏板部と、前記正面裏板部の上側方に連続して設けられ、包装箱の前側仕切部を形成する前側仕切板部と、前記背面板部の左側方に連続して設けられ、包装箱の後側仕切部を形成する後側仕切板部と、をさらに備ええた包装箱とした。
【００１４】
この包装箱において、前記前側仕切板部は、正面裏板部との境界線近辺において横方向に延びる下部水平切込部と、当該下部切込部とは横方向及び縦方向にずれた位置に形成され横方向に延びる上部水平切込部と、前記下部水平切込部から上部水平切込部まで両者を繋ぐように斜めに延びる傾斜切込部とからなり且つ横方向に所定の間隔をおいて形成された複数の第１の切込み線、および当該第１の切込み線の下部水平切込部の端末部と、上部水平切込部の端末部と、傾斜切込部の中間部に対応するそれぞれの部位に縦方向に伸びる第２の切込み線を有している。
【００１５】
また、前記後側仕切板部は、当該後側仕切板部の下縁近辺において横方向に延びる下部水平切込部と、当該下部切込部とは横方向及び縦方向にずれた位置に形成され横方向に延びる上部水平切込部と、前記下部水平切込部から上部水平切込部まで両者を繋ぐように斜めに延びる傾斜切込部とからなり且つ横方向に所定の間隔をおいて形成された複数の第３の切込み線、および当該第３の切込み線の下部水平切込部の端末部と、上部水平切込部の端末部と、傾斜切込部の中間部に対応するそれぞれの部位に縦方向に伸びる第４の切込み線を有し、また前記背面板部に隣接した部分に前記右側面板部の裏面に固定される右側面結合部を有している。
【００１６】
そして、前記正面裏板部は前記正面板部の裏側に重なるように折り曲げられて当該正面板部の後面に結合され、さらに前記前側仕切板部は前記正面裏板部の後側に重なるように折り返され、また正面裏板部との境界線近辺で且つ前記第１及び第２の切込み線によって切り離されていない領域において前記正面裏板部の対接面に結合され、前記後側仕切板部は前記背面板部の後側に重なるように折り曲げられ、また当該後側仕切板部の下縁近辺で且つ前記第３及び第４の切込み線によって切り離されていない領域において前記裏面板部の対接面に結合され、また、前記前側仕切板部と前記後側仕切板部とは、前記前側中仕切板部と後側中仕切板部とを間に挟んだ状態で対接面が結合され、さらに前記後側仕切板部に設けられた右側面結合部を右側面板部の裏面に結合して箱全体が折りたたみ構造体をなしている。
【００１７】
この折りたたみ構造体を左右側方から横方向中心へ向かって押圧することにより、正面板部と背面板部との間に横方向に２列に延び、且つ各列に複数の物品収容部が仕切り区分けされた箱が組み立てられる。
【発明の効果】
【００１８】
本発明によれば、包装箱の前後側の底板部と左右側面の底板部との間の一方に連結タブを設け、前後側の底板部の一方及び他方と左右側面の底板部の一方及び他方とをそれぞれ結合させて箱全体を折りたたみ構造体としたため、この折りたたみ構造体を左右側方から横方向中心へ向かって押圧することにより、結合された前後側の底板部の一方及び他方と左右側面の底板部の一方及び他方との間で相対運動が行われて、ワンタッチで包装箱が組み立てられる。したがって、包装箱の収納時は折り畳まれて小スペースに収まり、使用時には所期の使用目的に適応する包装箱が実現される。
【００１９】
また仕切板部を取り付けることにより、包装箱のワンタッチ組み立て動作に際して、箱内部に仕切り収容部を画成することもできる。
【図面の簡単な説明】
【００２０】
【図１】本発明の第１の実施の形態に係る包装箱の展開図である。
【図２】本発明の第２の実施の形態に係る包装箱の展開図である。
【図３】本発明の第２の実施の形態における前側仕切板部の部分を表す拡大図である。
【図４】本発明の第２の実施の形態における前側仕切板部の部分を表す拡大図である。
【図５】本発明の第２の実施の形態における前側仕切板部と後側仕切板部の組立て動作の説明のために、折りたたみ構造体を少し開いた状態にある包装箱の平面構造をモデル化して示す図である。
【図６】本発明の第２の実施の形態に係る包装箱の蓋を開いた状態を上方斜めから見た斜視図である。
【発明を実施するための形態】
【００２１】
（第１の実施の形態）
以下、本発明の第１の実施の形態について図面を参照して詳細に説明する。図１は本発明の第１の実施の形態に係る包装箱の展開図である。
【００２２】
図１において、符号１は包装箱の全体を示す。この包装箱１はボール紙、クラフト紙、或いは段ボールのような比較的厚さがあり直立性がある材質から作られている。２は正面板部である。この正面板部２は、矩形状をしており包装箱１の正面を形成する。３は右側面板部である。この右側面板部３は正面板部２と同じ高さ寸法を有する矩形状をしており、正面板部２の右側方に連続して設けられて包装箱１の右側面を形成する。正面板部２と右側面板部３は境界線４の部分で折り曲げ可能である。５は左側面板部である。この左側面板部５は正面板部２と同じ高さ寸法を有する矩形状をしており、正面板部２の左側方に連続して設けられて包装箱１の左側面を形成する。正面板部２と左側面板部５は境界線６の部分で折り曲げ可能である。７は背面板部である。この背面板部７は左側面板部５と同じ高さ寸法を有する矩形状をしており、左側面板部５の左側方に連続して設けられて包装箱１の背面を形成する。背面板部７と左側面板部５は境界線８の部分で折り曲げ可能である。また背面板部７の左側部分には右側面結合部９が設けられている。この右側面結合部９は背面板部７に対して境界線２９の部分で折り曲げ可能であり、各板部２，３，５，７が各境界線４，６，８で折り曲げられたときに前記右側面板部３の裏面に当接し、この当接部分に固定される。なお、背面板部７は図１において右側面板部３の右側方に連続して設けられていてもよい。
【００２３】
１０は蓋板部である。この蓋板部１０は背面板部７と同じ幅寸法を有する矩形状をしており、背面板部７の上側方に連続して設けられ、包装箱１の蓋体を形成する。蓋板部１０と背面板部７は境界線１１の部分で折り曲げ可能である。また蓋板部１０の上側部分には折込部１２が設けられており、包装箱１の本体部と蓋体とを固定する。１３は前側底板部である。この前側底板部１３は正面板部２の下側方に連続して設けられ、包装箱１の前側底板を形成する。正面板部２と前側底板部１３は境界線１４の部分で折り曲げ可能である。また、前側底板部１３は概略、下方へ向けて幅狭になった台形形状をしており、その右側縁部には右側連結タブ１５が設けられている。１６は後側底板部である。この前側底板部１６は背面板部７の下側方に連続して設けられ、包装箱１の後側底板を形成する。背面板部７と後側底板部１６は境界線１７の部分で折り曲げ可能である。また、後側底板部１６は概略、下方へ向けて幅狭になった台形形状をしており、その右側縁部には左側連結タブ１８が設けられている。
【００２４】
１９は右側面蓋板部である。この右側面蓋板部１９は右側面板部３の上側方に連続して設けられ、包装箱１を右側面から塞ぐ蓋部を形成する。右側面蓋板部１９と右側面板部３は境界線２０の部分で折り曲げ可能である。２１は左側面蓋板部である。この左側面蓋板部２１は左側面板部５の上側方に連続して設けられ、包装箱１を左側面から塞ぐ蓋部を形成する。左側面蓋板部２１と左側面板部５は境界線２２の部分で折り曲げ可能である。２３は右側面底板部である。この右側面底板部２３は右側面板部３の下側方に連続して設けられ、包装箱１を右側面下側から支える底部を形成する。右側面底板部２３と右側面板部３は境界線２４の部分で折り曲げ可能である。２５は左側面底板部である。この左側面底板部２５は左側面板部５の下側方に連続して設けられ、包装箱１を左側面下側から支える底部を形成する。左側面底板部２５と左側面板部５は境界線２６の部分で折り曲げ可能である。
【００２５】
なお、図１の例では右側連結タブ１５は前側底板部１３の右側縁部に設けられているが、この右側連結タブ１５は右側面底板部２３の左側縁部に設けられていてもよい。また、図１の例では左側連結タブ１８は後側底板部１６の右側縁部に設けられているが、この左側連結タブ１８は左側面底板部２５の左側縁部に設けられていてもよい。要するにこれらの連結タブ１５または１８は、それぞれ前側底板部１３と右側面底板部２３または後側底板部１６と左側面底板部２５を接着、貼り付け、その他適切な方法で結合するものである。以下において各部位の「結合」とは上記手法を意味する。この結合操作を行うために右側連結タブ１５と前側底板部１３は境界線２７の部分で折り曲げ可能であり、また、左側連結タブ１８と後側底板部１６は境界線２８の部分で折り曲げ可能である。
【００２６】
このような各部の構成を有する包装箱１において、展開状態から折り畳まれた状態の包装箱１の作製（各部位の折り曲げ、結合）について説明する。なお、以下の説明では、図１に表れている面を表面（化粧面）とする。したがって、折り曲げ操作は、基本的には表面が常に外側に来るように、図１の紙面に対して裏側方向へ折り曲げる（これを「外折り」と称する）ものとし、反対方向に折る場合は「内折り」または「逆折り」という。
【００２７】
上述の展開状態から包装箱を構成するには、前側底板部１３は境界線１４において正面板部２の裏側に重なるように折り曲げられる。このとき右側連結タブ１５は境界線２７において内折りされる。また、右側面底板部２３は境界線２４において右側面板部３の裏側に重なるように折り曲げられる。右側面板部３は境界線４において正面板部２の裏面方向に、且つ、上記折り曲げられた前側底板部１３の上に重なるように折り曲げられる。これにより、前側底板部１３と右側面底板部２３は前記右側連結タブ１５を挟んで対面するから、この右側連結タブ１５と右側面底板部２３（特にその左半分の区域）が結合される。結合は接着その他適切な方法により行われる。
【００２８】
後側底板部１６は境界線１７において背面板部７の裏側に重なるように折り曲げられる。このとき左側連結タブ１１８は境界線２８において内折りされる。また、左側面底板部２５は境界線２６において左側面板部５の裏側に重なるように折り曲げられる。左側面板部５は境界線８において背面板部７の裏面方向に、且つ、上記折り曲げられた後側底板部１６の上に重なるように折り曲げられる。これにより、後側底板部１６と左側面底板部２５は前記左側連結タブ１８を挟んで対面するから、この左側連結タブ１８と左側面底板部２５（特にその左半分の区域）が結合される。この段階までで、正面板部２、右側面板部３、左側面板部５、背面板部７（これらの板部により包装箱１の本体部が構成される）の間では境界線４と境界線８のみで折り曲げがされているから、全体としてはボックス構造とはなっておらず、重ね合わせ構造となっている。また、上述のように左側面板部５は境界線８において背面板部７の裏面方向に折り曲げられていることにより、背面板部７の左側方部分に設けられた右側面結合部９は右側面板部３の裏面に対面し、この部分で結合する。これにより包装箱１は全体として折りたたみ構造体の状態で完成する。
【００２９】
包装箱１を組み立てるためには、上記折りたたみ構造体を左右側方から横方向中心へ向かって押圧する。これにより、正面板部２、右側面板部３、左側面板部５、背面板部７の間では境界線４と境界線８の部分で折りたたみ状態から起き上がり動作が行われる一方、境界線６と境界線２９の部分では外折り方向へ折り曲げ作用が生じボックス構造が形成される。他方、底板部分では、前側底板部１３と右側面底板部２３が結合され、また後側底板部１６と左側面底板部２５が結合されていることにより、それぞれにおいて折りたたみ状態から起き上がり動作が行われて、各底板部１３，２３，１６，２５が下方へ引き下げられるとともに水平面状態となって正規の位置をとる。これにより包装箱１が組み立てられる。
【００３０】
（第２の実施の形態）
図２は本発明の第２の実施の形態に係る包装箱の展開図である。図２に示された展開構造は図１に示された展開構造を基本とし、これに本発明特有のさらなる構成部材（構成要素）が付加えられている。したがって、図１と同じ部分には同じ符号を付して詳細な説明は省略する。
【００３１】
図２において、符号３０は包装箱の全体を示す。この包装箱３０は、上記基本構造に加えて、前側中仕切板部３１と、後側中仕切板部３２と、正面裏板部３３と、前側仕切板部３４と、後側仕切板部３５とを有する。
【００３２】
前側中仕切板部３１は、前側底板部１３の下側方に連続して設けられる。この前側中仕切板部３１と前側底板部１３は境界線３６の部分で折り曲げ可能である。後側中仕切板部３２は、後側底板部１６の下側方に連続して設けられる。この後側中仕切板部３２と後側底板部１６は境界線３７の部分で折り曲げ可能である。
【００３３】
正面裏板部３３は正面板部２と同じ幅寸法を有する矩形状をしており、正面板部の上側方に連続して設けられる。この正面裏板部３３と正面板部２は境界線３８の部分で折り曲げ可能である。この正面裏板部３３は境界線３８の部分での折り曲げ操作により正面板部２に重ねられて正面裏板となるが、主たる役割は前側仕切板部３４の支持部材となることである。
【００３４】
前側仕切板部３４は、正面裏板部３３の上側方に連続して設けられ、包装箱３０の前側仕切部を形成する。この前側仕切板部３４と正面裏板部３３は境界線３９の部分で折り曲げ可能である。後側仕切板部３５は、背面板部７の左側方に連続して設けられ、包装箱３０の後側仕切部を形成する。なお後側仕切板部３５の、背面板部７との接合部分（隣接部分）には右側面板部３の裏面に固定される右側面結合部４０が設けられている。この右側面結合部４０は上記第１の実施の形態における右側面結合部９に相当する。この後側仕切板部３５と右側面結合部４０は境界線４１の部分で折り曲げ可能である。また、右側面結合部４０の幅寸法は右側面板部３の幅寸法のおおよそ半分である。
【００３５】
図３は前側仕切板部３４の部分を表す拡大図である。図３において、前側仕切板部３４には、正面裏板部３３との境界線３９近辺において横方向に延びる下部水平切込部４２と、当該下部水平切込部４２とは横方向及び縦方向にずれた位置に形成され横方向に延びる上部水平切込部４３と、上記下部水平切込部４２から上部水平切込部４３まで両者を繋ぐように概略斜め方向（図２および図３では左上がり傾斜である）に延びる傾斜切込部４４とからなり、且つ横方向に所定の間隔をおいて形成された複数の第１の切込み線４５が形成されている。第１の切込み線４５は前側仕切板部３４を構成する板材を表側から裏側へ突き抜けて形成された抜き穴である。この実施の形態では、第１の切込み線４５は合計で３本形成されている。第１の切込み線４５の下部水平切込部４２の端末部４６と、上部水平切込部の端末部４７と、傾斜切込部４４の中間部４８に対応するそれぞれの部位には縦方向に伸びる第２の切込み線４９が複数本（４９ａ〜４９ｈ）形成されている。これらの第２の切込み線４９もまた抜き穴からできている。第１の切込み線４５と第２の切込み線４９は、互いに交わらないように両切込み線４５、４９の交差点手前で終端となっており、間にごく小さな陸部である極小陸部５０が複数個所に形成されている。第２の切込み線４９は包装箱３０が立体的に組み立てられるときの折れ線に沿っており、その末端近辺に設けられた極小陸部５０は、包装箱３０を折りたたみ状態から立体状態に組み立てるとき折り曲げ部となる。なお符号７０で示す線も切込み線である。
【００３６】
図４は後側仕切板部３５の部分を表す拡大図である。後側仕切板部３５もまた前側仕切板部３４と同様の構造を有する。すなわち、図４において、後側仕切板部３５には、当該後側仕切板部３５の下縁近辺において横方向に延びる下部水平切込部５２と、当該下部切込部５２とは横方向及び縦方向にずれた位置に形成され横方向に延びる上部水平切込部５３と、上記下部水平切込部５２から上部水平切込部５３まで両者を繋ぐように概略斜め方向（図２および図４では右上がり傾斜である）に延びる傾斜切込部５４とからなり、且つ横方向に所定の間隔をおいて形成された複数の第３の切込み線５５が形成されている。第３の切込み線５５もまた抜き穴である。この実施の形態では、第３の切込み線５５は合計で３本形成されている。第３の切込み線５５の下部水平切込部５２の端末部５６と、上部水平切込部５３の端末部５７と、傾斜切込部の中間部５８に対応するそれぞれの部位には縦方向に伸びる第４の切込み線５９が複数本（５９ａ〜５９ｈ）形成されている。これらの第４の切込み線５９もまた抜き穴からできている。第３の切込み線５５と第４の切込み線５９は、互いに交わらないように両切込み線５５、５９の交差点手前で終端となっており、間に極小陸部６０が複数個所に形成されている。第４の切込み線５９は包装箱３０が立体的に組み立てられるときの折れ線に沿っており、その末端近辺に設けられたこれらの極小陸部６０もまた、包装箱３０を折りたたみ状態から立体状態に組み立てるとき折り曲げ部となる。なお符号７１で示す線も切込み線である。
【００３７】
なお上の説明で、前側仕切板部３４では傾斜切込部４４は図２および図３に示すように左上がり傾斜であり、下部水平切込部４２は右下、上部水平切込部４３は左上に位置するのに対して、後側仕切板部３５では傾斜切込部５４は図２および図４に示すように右上がり傾斜であり、下部水平切込部５２は左下、上部水平切込部５３は右上に位置するというように、彼此逆の関係になっている。しかしながら、展開状態における前側仕切板部３４と後側仕切板部３５の間における左右方向の食い違いは究極的には問題を生じない。
【００３８】
このような各部の構成を有する包装箱３０において、展開状態から折りたたまれた状態の包装箱３０の作製（各部位の折り曲げ、結合）について説明する。なお、表面（化粧面）の意味、外折り、内折り（逆折り）の意味については上記第１の実施の形態の説明の場合と同じである。さらに、上記第１の実施の形態の説明で述べた包装箱１の本体部の各部位の折り曲げ、結合については同じであるので省略する。
【００３９】
上述の展開状態から折りたたまれた状態へ包装箱を構成するに際して、正面裏板部３３は前記正面板部２の裏側に重なるように折り曲げられて当該正面板部２の後面に結合される。さらに前側仕切板部３４は前記正面裏板部３３の後側に重なるように折り返され（内折り）、また正面裏板部３３との境界線３９近辺で且つ前記第１及び第２の切込み線４５，４９によって切り離されていない領域（図３で見て右斜め上がりの斜線でハッチ表示する領域、ここを「下部領域５１」とする）において正面裏板部３３の対接面領域６２に結合される。
【００４０】
後側仕切板部３５は境界線４１において背面板部７の裏側に重なるように折り曲げられ、また当該後側仕切板部３５の下縁近辺で且つ前記第３及び第４の切込み線５５，５９によって切り離されていない領域（図４で見て右斜め上がりの斜線でハッチ表示する領域、ここを「下部領域６１」とする）において裏面板部７の裏側の対接面領域６３に結合される。さらに、上述のように後側仕切板部３５を背面板部７の裏側に重ならせた状態で背面板部７を境界線８で折り曲げると、前側仕切板部３４と後側仕切板部３５は、間に前側中仕切板部３１と後側中仕切板部３２を介在させた状態で前後位置関係にほぼ整合した状態になる。
【００４１】
このときの前側仕切板部３４と後側仕切板部３５の向きはそれぞれ図３、図４に示された向きとなっている（後側仕切板部３５は２回折り返されたから）。この整合状態にある前側仕切板部３４および後側仕切板部３５はそれぞれの上部領域（前側仕切板部３４については図３で見て右斜め下がりの斜線でハッチ表示する領域６８、後側仕切板部３５については図４で見て右斜め下がりの斜線でハッチ表示する領域６９とする）の両隅に設けられた結合部６４，６５および６６，６７において結合される。ここで、結合部６４と結合部６６が相互に結合され、結合部６５と結合部６７が相互に結合される。
【００４２】
前側仕切板部３４および後側仕切板部３５は結合部６４，６５および６６，６７以外の部分では結合されておらず、長手方向中間部分には隙間が形成される。その隙間内に上記前側中仕切板部３１と後側中仕切板部３２とが介在する。
【００４３】
上述のように後側仕切板部３５を背面板部７の裏側に重ならせた状態で背面板部７を境界線８で折り曲げたとき、後側仕切板部３５と背面板部との間に設けられた右側面結合部４０は右側面板部３の裏面に対面するから、この右側面結合部４０と右側面板部３を結合する。これにより、前側仕切板部３４と後側仕切板部３５は、双方の上部領域６８，６９が一体となっている上、その上部領域６８，６９が右側面板部３に結合された構成となる。また、右側面結合部４０の幅寸法は右側面板部３の幅寸法のおおよそ半分であるから、前側仕切板部３４と後側仕切板部３５は右側面板部３の幅寸法のおおよそ半分の位置、すなわち、包装箱３０の前後方向ほぼ中心位置に配置されていることになる。以上で包装箱３０は全体として折りたたみ構造体の状態で完成する。
【００４４】
包装箱３０を組み立てるに当って、上記折りたたみ構造体を左右側方から横方向中心へ向かって押圧すると、正面板部２、右側面板部３、左側面板部５、背面板部７の間では境界線４と境界線８の部分で折りたたみ状態から起き上がり動作が行われる一方、境界線６と境界線２９の部分では外折り方向へ折り曲げ作用が生じボックス構造が形成される。他方、底板部分では、前側底板部１３と右側面底板部２３が結合され、また後側底板部１６と左側面底板部２５が結合されていることにより、それぞれにおいて折りたたみ状態から起き上がり動作が行われて、各底板部１３，２３，１６，２５が下方へ引き下げられるとともに水平面状態となって正規の位置をとる。これにより包装箱３０の本体部が組み立てられる。このときの前側仕切板部３４と後側仕切板部３５の組立て動作について説明する。
【００４５】
図５は上記前側仕切板部３４と後側仕切板部３５の組立て動作の説明のために、折りたたみ構造体を少し開いた状態にある包装箱３０の平面構造をモデル化して示す図である。図５において平行四辺形の枠体は包装箱３０の本体部を表し、上辺は背面板部７、下辺は正面板部２、右辺は右側面板部３、左辺は左側面板部５である。３１は前側中仕切板部であり前側底板部１３と一体である。３２は後側中仕切板部であり後側底板部１６と一体である。３４は前側仕切板部であり、その下部領域５１では正面板部２と一体である一方、上部領域６８では後側仕切板部３５を介して右側面板部３の中間位置に結合している。３５は後側仕切板部であり、その下部領域６１では背面板部７と一体である一方、上部領域６９では右側面板部３の中間位置に直接結合している。６４，６６は右側面板部３近辺における前側仕切板部３４と後側仕切板部３５の結合部であり、６５，６７は左側面板部５近辺における前側仕切板部３４と後側仕切板部３５の結合部である。符号７２は、上述した、内部に前側中仕切板部３１と後側中仕切板部３２とが介在する隙間である。
【００４６】
折りたたみ構造体を左右側方から横方向中心へ向かって押圧する外力をＦ１、Ｆ２とすると、Ｆ１とＦ２の大きさは
Ｆ１  ＝  Ｆ２
であり、外力が加わる方向は、Ｆ１については左から右、Ｆ２については右から左の方向である。この外力の作用により、前側仕切板部３４の下部領域５１、後側仕切板部３５の下部領域６１および一体となっている前側仕切板部３４と後側仕切板部３５の上部領域６８，６９の３つの部位の間では次の運動が生じる。すなわち、前側仕切板部３４の下部領域５１（正面板部２と一体である）は外力Ｆ２と同じ右から左の方向へ相対的に移動する。他方、後側仕切板部３５の下部領域６１（背面板部７と一体である）は外力Ｆ１と同じ左から右の方向へ相対的に移動する。さらに、一体となっている前側仕切板部３４と後側仕切板部３５の上部領域６８，６９（右側面板部３の幅方向中心部で当該右側面板部３と一体である）は左右方向へ移動しない。
【００４７】
したがって、前側仕切板部３４についてみると、下部領域５１と上部領域６８間で相対的な移動が起こり、図５中矢印Ｓ２で示されるように下部領域５１が上部領域６８の前側へせり出すようにして中間領域（図３で白抜きの領域）にある複数の仕切片７３が起き上がる。仕切片７３の起き上がりは、図３中、第２の切込み線４９に沿って、且つ極小陸部５０が折れ曲がりながら行われ、第２の切込み線４９ｂが第２の切込み線４９ａの前方位置に来るように移動し、以下同様に、第２の切込み線４９ｃ、４９ｄ、４９ｅがそれぞれ第２の切込み線４９ｆ、４９ｇ、４９ｈの前方位置に来るように移動する。これにより、組み立てられた包装箱３０の内部には前側半分のスペースに前側仕切板部３４によって仕切片７３（４枚ある）により画成された５個の物品収容部が形成される。
【００４８】
後側仕切板部３５についてみても同様であり、下部領域６１と上部領域６９間で相対的な移動が起こり、図５中矢印Ｓ１で示されるように下部領域６１が上部領域６９の後側へ回り込むようにして中間領域（図４で白抜きの領域）にある複数の仕切片７４が起き上がる。仕切片７４の起き上がりは、図４中、第４の切込み線５９に沿って、且つ極小陸部６０が折れ曲がりながら行われ、第４の切込み線５９ｂが第４の切込み線５９ａの後方位置に来るように移動し、以下同様に、第４の切込み線５９ｃ、５９ｄ、５９ｅがそれぞれ第４の切込み線５９ｆ、５９ｇ、５９ｈの後方位置に来るように移動する。これにより、組み立てられた包装箱３０の内部にはあと側半分のスペースに後側仕切板部３５によって仕切片７４（４枚ある）により画成された５個の物品収容部が形成される。
【００４９】
以上の、前側仕切板部３４と後側仕切板部３５の組立て動作の間における前側中仕切板部３１と後側中仕切板部３２の組立て動作について説明する。先の説明における包装箱３０の本体部の組み立て動作において、底板部分では、前側底板部１３と右側面底板部２３が結合され、また後側底板部１６と左側面底板部２５が結合されていることにより、それぞれにおいて折りたたみ状態から起き上がり動作が行われて、各底板部１３，２３，１６，２５が下方へ引き下げられるとともに水平面状態となって正規の位置をとることを説明した。このとき、前側中仕切板部３１は前側底板部１３に連続して設けられているから当該前側底板部１３と一緒に下方へ移動しつつ右から左へ移動するが、移動の最終段階では、前側底板部１３は上記組立て動作において水平面状態となるのに対して前側中仕切板部３１は前側仕切板部３４と後側仕切板部３５の間に挟まれて垂直状態を維持しようとする。そのため、前側中仕切板部３１と前側底板部１３との間では、境界線３６の部分において折れ曲がり作用が働き、前側中仕切板部３１は包装箱３０の前後方向中心部で収容空間を前後に区分けする仕切となる。
【００５０】
後側中仕切板部３２は後側底板部１６に連続して設けられているから当該後側底板部１６と一緒に下方へ移動しつつ左から右へ移動するが、移動の最終段階では、後側底板部１６は上記組立て動作において水平面状態となるのに対して後側中仕切板部３２は前側仕切板部３４と後側仕切板部３５の間に挟まれて垂直状態を維持しようとする。そのため、後側中仕切板部３２と後側底板部１６との間では、境界線３７の部分において折れ曲がり作用が働き、後側中仕切板部３２は包装箱３０の前後方向中心部で収容空間を前後に区分けする仕切となる。これにより包装箱３０が組み立てられる。
【００５１】
図６は組み立てられた後の包装箱３０の蓋を開いた状態を上方斜めから見た斜視図である。この図に示されているように、包装箱３０の内部では前列及び後列に長手方向に一定の間隔を開けられた仕切片７３及び７４が平行に並んだ収容室が形成されている。これにより、ガラス容器に収納された薬品や食品を安全に収容することができる。
【産業上の利用可能性】
【００５２】
本発明では、包装箱の前後側の底板部と左右側面の底板部との間の一方に連結タブを設け、前後側の底板部の一方及び他方と左右側面の底板部の一方及び他方とをそれぞれ結合させて箱全体を折りたたみ構造体としたため、この折りたたみ構造体を左右側方から横方向中心へ向かって押圧することにより、結合された前後側の底板部の一方及び他方と左右側面の底板部の一方及び他方との間で相対運動が行われて、ワンタッチで包装箱が組み立てられる。これにより、包装箱の組み立てが楽になり、また、迅速な組み立て作業が可能である。
【符号の説明】
【００５３】
１、３０  包装箱
２  正面板部
３  右側面板部
５  左側面板部
７  背面板部
９  右側面結合部
１０  蓋板部
１３  前側底板部
１５  右側連結タブ
１６  後側底板部
１８  左側連結タブ
１９  右側面蓋板部
２１  左側面蓋板部
２３  右側面底板部
２５  左側面底板部
３１  前側中仕切板部
３２  後側中仕切板部
３３  正面裏板部
３４  前側仕切板部
３５  後側仕切板部
４０  右側面結合部
４２、５２  下部水平切込部
４３、５３  上部水平切込部
４４、５４  傾斜切込部
４５  第１の切込み線
４９  第２の切込み線
５０、６０  極小陸部
５１、６１  下部領域
５５  第３の切込み線
５９  第４の切込み線
６８，６９  上部領域
７０、７１  切込み線
７２  隙間
７３  仕切片
【図１】
2011126555.tif 000003
【図２】
2011126555.tif 000004
【図３】
2011126555.tif 000005
【図４】
2011126555.tif 000006
【図５】
2011126555.tif 000007
【図６】
2011126555.tif 000008